(57)【要約】【課題】  多数の矢板１ａ〜１ｊを打設して（Ｅ）のような筒状ケーシングを形成する技術を改良して、最初に打ち込んだ矢板１ａと最後に打ち込もうとする矢板１ｊとの間に不閉合が生じないようにする。【解決手段】  （Ａ），（Ｂ）に示すように、矢板形の治具３ａ〜３ｅが１本置きに配列された定規を地表に設置し、（Ｃ）に示すごとく「矢板形治具の間隙」を埋める形に矢板１ａ，１ｃ・・・を１本置きに打ち込み、前記の矢板形治具を取り去って（Ｄ）の状態にし、１本置きに打ち込まれている矢板１ａ，１ｃ・・・１ｉの間に、矢板１ｂを打ち込む。矢板１ｄ，１ｆ・・・１ｊを打ち込むと（Ｅ）のような筒状ケーシングが完成する。【選択図】  図１ 
2005171596.tif 000002
【特許請求の範囲】
【請求項１】
地面に策定された閉曲線に沿って多数の矢板を打ち込み、隣接する矢板の継手を相互に嵌め合わせて筒状のケーシングを構成する工法において、
ａ．地上に設置した定規を用いて、１本置きに矢板を打ち込み、
ｂ．上記の定規を取り去り、
ｃ．１本置きに打ち込まれている既設矢板の間に、矢板の継手を嵌め合わせて、
上記既設矢板とほぼ同形同寸の矢板を打ち込むことを特徴とする、筒状ケーシング打設工法。
【請求項２】
地面に策定された閉曲線に沿って多数の矢板を恒久的に打ち込み、隣接する矢板の継手を相互に嵌め合わせて筒状のケーシングを構成する方法において、
ａ．地上に設置した定規を用いて、前記の矢板に比して長さ寸法が数分の１であるガイド用の仮矢板を１本置きに打ち込み、
ｂ．上記の定規を取り外し、
ｃ．取り外した定規の後に、前記と同様の仮矢板を打ち込んで、所望の筒状ケーシングに比して深さ寸法が数分の１である仮ケーシングを形成し、
ｄ．上記の仮ケーシングを形成しているガイド仮矢板を１本ずつ抜き取りつつ、
ｅ．抜き取ったガイド仮矢板の後に、前記の恒久的に打ち込むべき矢板を打ち込むことを特徴とする、筒状ケーシング打設工法。
【請求項３】
前記ａ項の工程で１本置きに矢板を打ち込む際、打設目的である筒状ケーシングの設置深さ寸法に比して数分の１の深さ寸法に矢板を打ち込み、
前記ｂ項の工程で定規を取り去った後、ｃ項の工程で矢板を打ち込む際も、打ち込み深さ寸法を数分の１に留めることにより、
中間的段階として、打設目的の筒状ケーシングに比して設置深さ寸法が数分の１である仮筒状ケーシングを形成し、
上記仮筒状ケーシングを構成している多数の矢板を、１本ずつ順次に打ち下げて目的の設置深さ寸法ならしめることを特徴とする、請求項１に記載した筒状ケーシング打設工法。
【請求項４】
項目ａ項の工程で地上に定規を設置するに先立って、
前記多数の矢板それぞれの打ち込み予定箇所にアースオーガを揉み込み、
ほとんど排土することなく、該アースオーガを上方へ抜き出し、
アースオーガで掘り弛められた地表を均して、前記の定規を設置することを特徴とする、請求項１ないし請求項３の何れかに記載した筒状ケーシング打設工法。
【請求項５】
前記の打ち込まれる多数の矢板と同様ないし類似の断面形状を有し、該多数の矢板よりも短い矢板形の治具を構成し、
上記矢板状の治具を、前記の閉曲線に沿わせて間欠的に並べて前記の定規を構成し、
かつ、前記の閉曲線に沿って多数の矢板が打設された状態を想定し、この仮想の矢板に接触するように位置せしめてガイド用のゴム板を配置し、
これら矢板形の治具およびゴム板によって前記の定規を構成することを特徴とする、請求項１ないし請求項４の何れかに記載した筒状ケーシング打設工法。
【請求項６】
前記多数の矢板を打ち込む際、
該矢板の重心Ｇを通り、該矢板の長手方向と平行な平面ｇを想定し、
杭打機のチャックによって、「矢板が前記平面ｇと交わる複数の箇所」を把持することを特徴とする、請求項１ないし請求項５の何れかに記載した筒状ケーシング打設工法。
【請求項７】
地面に策定された閉曲線に沿ってＮ本の矢板を打ち込んで、筒状のケーシングを構成するための定規であって、
前記矢板と同様ないし類似の断面形状を有し、該矢板よりも格段に短い矢板形治具のＮ／２個を有し（ただし割切れないときは切捨て又は切上げ）、
かつ、前記の閉曲線に沿ってＮ本の矢板が筒状に配列された状態を想定して、
筒状に配列された仮想の矢板を、１本置きに前記矢板形治具で置換した形に、該矢板形治具が間欠的に、前記閉曲線に沿って配置されていることを特徴とする、筒状ケーシング打設用の定規。
【請求項８】
前記の筒状に配列されたＮ本の仮想の矢板について、
それぞれの矢板に接するＮ角形の内周面を有する外枠と、
それぞれの矢板に接するＮ角形の外周面を有する内枠とを具備しており、
かつ、上記内周面のＮ角形のＮ個の各辺と、外周面のＮ角形のＮ個の各辺とが相互にほぼ平行をなしていて、対向する平行な辺の間に、１本の矢板を挿通して案内する空間が形成されていることを特徴とする、請求項７に記載した筒状ケーシング打設用の定規。
【請求項９】
前記の矢板用治具に、「前記の平行に対向する辺に架け渡される脚」が取り付けられていて、
上記の脚が、前記の外枠と内枠とに架橋する形に、かつ着脱容易に装着されていることを特徴とする、請求項８に記載した筒状ケーシング打設用の定規。
【請求項１０】
前記の平行な辺が対向している箇所ごとに、打ち込まれる矢板を位置ぎめして案内するゴム板、またはゴムで被覆された板状部材が配置され、外枠または内枠に固定されていることを特徴とする、請求項８または請求項９に記載した筒状ケーシング打設用の定規。
【請求項１１】
請求項７に記載した筒状ケーシング打設用の定規と併用される矢板の把持具であって、
前記Ｎ本の矢板のそれぞれについて、矢板の重心Ｇを通り、該矢板の長手方向と平行な平面ｇを想定し、
上記矢板と平面ｇとの交線の上端付近の複数箇所を同時に把持する構造であることを特徴とする、矢板打設用の把持具。
【発明の詳細な説明】
【技術分野】
【０００１】
本発明は、多数の矢板を地中に打ち込んで筒状のケーシングを形成する技術に係り、筒状ケーシング打設工法、並びに筒状ケーシング打設用の定規、および、筒状ケーシング打設作業に特に好適な矢板把持具に関するものである。
【背景技術】
【０００２】
例えば高架鉄道や高架道路の橋脚を構築する場合、多数の鋼矢板を並べて地中に打設して筒状のケーシングを構成する作業が行なわれる。
上記の筒状は円柱状のことも有り、角柱状のことも有る。また、鋼矢板のほぼ全長を地中に打ち込んだ埋設形のケーシングを構成して基礎とする場合も有り、また、長さの半分以上を地上に位置せしめて「植説された立柱状のケーシング」を構成する場合も有る。いずれの場合も本発明の適用対象である。
図８は、多数の矢板によって構成される筒状ケーシングを説明するための平面図である。
（Ａ）は、円筒状ケーシング用の縦割り円筒形の特殊な矢板を１０本並べて円筒状ケーシングを形成した例であり、矢板１ａ，同１ｂ〜同１ｊが相互に組み合わされている。符号２を付して示した箇所は継手であり、その拡大詳細を（Ｂ）に示す。
図８（Ｃ）は、通状の鋼矢板を用いて筒状のケーシングを形成した場合、多数の鋼矢板の内の３本を例示したものである。
「ケーシング」は、当該技術分野においては一般に通用する述語であるが、ＪＩS工業用語大辞典には、「掘削および仕上げの目的で抗井に挿入するパイプ」と説明されている。
【非特許文献１】ＪＩＳ工業用語大辞典・財団法人日本規格協会編集、発行
【発明の開示】
【発明が解決しようとする課題】
【０００３】
地上に閉曲線（例えば円）を策定し、この閉曲線に沿って図９（Ａ）のように、矢板１ａ，矢板１ｂ・・・というように順次に打設して、最後に矢板１ｉ，矢板１ｊを打とうとすると、ａ部のように双方の矢板１ｊ，１ａの継手が届かなくなる場合が少なくない。また、図９（Ｂ）のｂ部のように双方の矢板１ｊ，１ａが重なり合って、継手を嵌め合わすことのできない場合も少なくない。
その理由は主として、多数（本例では１０本）の矢板を順次に継ぎ合わせて打ち込んでゆくと、１箇所の継手の寸法誤差が僅少であっても、多数（本例では９箇所の継手係合部の誤差）が累積され、最後の矢板１ａと最後の矢板１ｊとを組み合わせることができなくなるのである。このような不具合を「閉合しない」という。
【０００４】
図１０は、最初の矢板と最後の矢板との組み合わせを狂わせるもう一つの原因を説明するための模式的な斜視図である。
先に図８，図９について述べたのと同様に、符号１ａは最初に打ち込まれた矢板、符号１ｉは最後から２番目に打ち込んだ矢板、符号１ｊは最後に打ち込もうとしている矢板である。
矢板が打ち込まれる地盤は必ずしも均質ではなく、硬軟の変化が有るので、地上に位置する杭打機で矢板を打ち込んでも、厳密に垂直に貫入することは容易でない。
その上、図７を参照して後に詳しく述べるように、（図１０参照）矢板１ｉを地中へ圧入する力（矢印Ｐ）の作用線と、矢板１ｉが地盤から受ける貫入抵抗力（矢印Ｒ）の作用線とが同一直線上に位置しないときは偶力を生じて、該矢板１ｉの垂直度を狂わせ、または該矢板１ｉを湾曲させる。
【０００５】
本図１０に例示した状態では、最初の矢板１ａと、最後から１つ手前の矢板１ｉとの平行度が不良になっていて、双方の矢板の上端では継手間隔が寸法ｉであっても、下端の継手間隔は寸法Ｉ＞ｉになっている。
このため、最後の矢板１ｊを打ち込む際、地上に現れている矢板上端部では継手間隔寸法ｉが一致して閉合したように思われても、最後の矢板１ｊを打ち込むにつれて該最後の矢板の沈下速度が減少し、途中で停止してしまう。
このようになった場合、研究のために未完成ケーシング内を掘り起こしてみると、本図１０のように矢板１ｉが曲っていることが確認された。
本発明は上述の事情に鑑みて為されたものであって、その目的とするところは、多数の矢板を順次に打ち込んで筒状のケーシングを構築する場合、該多数の矢板を容易に、かつ確実に閉合させる技術を提供するにある。
【課題を解決するための手段】
【０００６】
上記の目的である「矢板の閉合」を図るため、本発明は図９について説明した「最初の矢板と最後の矢板との継手位置狂い」と、図１０について説明した「矢板の曲がり」との両方をそれぞれ解消する。
矢板の不閉合を生じる原因が複数であるため、これを防止するために創作した技術も複数であるが、これらの技術は総べて「筒状ケーシングを形成する矢板の不閉合を防止する」という目的を同じくしている。
【０００７】
請求項１に係る発明方法の構成は、（図１参照）多数の矢板（１ａ〜１ｊ）を打設して筒状ケーシング（同図（Ｅ））を構築する工法において、
ａ．地上に設置した定規（同図（Ａ），（Ｂ））を用いて、１本置きに矢板（１ａ，１ｃ）を打ち込み、（同図（Ｃ））、
ｂ．上記の定規を取り外し（同図（Ｄ））、
ｃ．１本置きに打ち込まれている矢板（１ａ，１ｃ）の間に、矢板の継手を嵌め合わせて、矢板（１ｂ）を打ち込むことを特徴とする。
以上に説明した請求項１の発明方法によると、打ち込まれる多数の矢板が、１本置きに定規で位置決めされるので、継手部分に生じる寸法誤差が累積することなく打ち込まれ、最初に打ち込まれた矢板と最後に打ち込もうとする矢板との間に不閉合を生じる虞れが無い。
【０００８】
請求項２に係る発明方法は、前記請求項１（図１）の方法を改良したもので、（図５参照）前記と同様の定規（図５（Ａ））、（Ｂ）を地上に設置し、
ａ．上記の定規を用いて、恒久的に打ち込まれる矢板１を短く切断した形状寸法ガイド用仮矢板（８ａ〜８ｉ）を打ち込み（図５（Ｃ））、
ｂ．上記の定規を取り外し、
ｃ．ガイド用矢板によって、本物よりも設置深さ寸法の小さい仮ケーシングを形成し（図５（Ｄ）、
ｄ．上記仮ケーシングから１本の仮矢板８を抜き取り（図５（Ｅ）矢印ｆ）、
ｅ．抜き取った１本の仮矢板８の後に、未だ抜き取られていない両側の仮矢板をガイドとして恒久的に打設する矢板１を打ち込んで（図５（Ｅ）矢印ｇ）、この作業を順次に繰り返して、恒久矢板１による筒状ケーシングを完成する（図５（Ｆ））。
以上に説明した請求項２の発明方法によると、恒久的に打設すべき多数の矢板を、定規よりも長いガイド用仮矢板で案内するので、請求項１におけると同様の効果が得られる上に、打設された矢板の垂直度が優れている。
【０００９】
請求項３に係る発明は前記請求項１の発明方法の構成要件に加えて（図６参照）定規である矢板形治具によって、恒久的に打設する矢板（１ａ，１ｃ）を打ち込む際、全深さ寸法まで打ち込むことなく、数分の１の打込深さ（∠／ｎ）に留めておき（図６（Ａ））
上記の数分の１の深さに打ち込まれた部分をガイドとして、１本の矢板１ｈをさらに深く打ち込み、この作業を順次に繰り返して、全長（∠）を地中に打ち込んで筒状ケーシングを完成する（図６（Ｃ））。ただし、矢板の全長の内の一部分を地上に残して「ケーシング柱を植設した状態」とすることもできる。
以上に説明した請求項３の発明によると、請求項２におけるが如くガイド用の仮矢板を用いる必要が無く、しかも、ガイド用仮矢板を用いた場合に匹敵し得る垂直度が得られる。
【００１０】
請求項４に係る発明方法の構成は、前記請求項１ないし請求項３の内の何れかの構成要件に加えて、多数の矢板それぞれの打設箇所に予めアースオーガを揉み込んで、排土せずに該アースオーガを抜いてから地表を均することを特徴とする。
以上に説明した請求項４の発明方法によると、地盤が掘り弛められるので矢板を打ち込むことが容易であるだけでなく、アースオーガで掘削された区域は土砂が掻き回されて均質になっているので、その中に打ち込まれた矢板は垂直度の狂いが少ない。
【００１１】
請求項５に係る発明方法の構成は、前記請求項１ないし請求項４の発明方法の構成要件に加えて、前記の打ち込まれる多数の矢板と同様ないし類似の断面形状を有し、該多数の矢板よりも短い矢板形の治具を構成し、
上記矢板状の治具を、前記の閉曲線に沿わせて間欠的に並べて前記の定規を構成し、
かつ、前記の閉曲線に沿って多数の矢板が打設された状態を想定して、この仮想の矢板に接触するように位置せしめてガイド用のゴム板を配置し、
これら矢板形の治具およびゴム板によって前記の定規を構成することを特徴とする。
以上に説明した請求項５の発明方法によると、嵌め合わされている矢板の継手部分のクリアランスが、ゴム板によって弾性的に詰められるので、杭打工事による騒音，振動公害を防止することができる。
【００１２】
請求項６に係る発明方法の構成は、前記請求項１ないし請求項５の発明方法の構成要件に加えて、前記多数の矢板を打ち込む際、
該矢板の重心Ｇを通り、該矢板の長手方向と平行な平面ｇを想定し、
杭打機のチャックによって、「矢板が前記平面ｇと交わる複数の箇所」を把持することを特徴とする。
以上に説明した請求項６の発明方法によると、矢板に加える打込力の作用線と、矢板が地盤から受ける貫入抵抗力の作用線とがほぼ一致し、上記二つの力によって偶力を生じないので、該矢板を真直に打ち込むことが容易になる。
上記貫入抵抗は、地盤の状態によって変化するため、予めこれを想定することは困難であるが、発明者らが蓄積した経験と知見、並びに実験研究によって、この貫入抵抗力の作用線が矢杭の重心付近を通ることを利用して、このような効果が得られたものである。
【００１３】
請求項７の発明に係る筒状ケーシング打設用定規の構成は、地面に策定された閉曲線に沿ってＮ本の矢板を打ち込んで筒状のケーシングを構成するための定規であって、
前記矢板と同様ないし類似の断面形状を有し、該矢板よりも格段に短い矢板形治具のＮ／２個を有し（ただし割切れないときは切捨て又は切上げ）、
かつ、前記の閉曲線に沿ってＮ本の矢板が筒状に配列された状態を想定して、
筒状に配列された仮想の矢板を、１本置きに前記矢板形治具で置換した形に、該矢板形治具が間欠的に、前記閉曲線に沿って配置されていることを特徴とする。
以上に説明した請求項７の発明によると、打設すべき多数の矢板の約半数の矢板形治具が、１本置きに筒状を形成するように配置されているので、これら１本置きの矢板形治具の間に１本ずつ矢板を打ち込んでゆくことによって、正確な筒状に配置されて矢板が打ち込まれて筒状ケーシングを構成する。
このように、１本置きに位置決めされるので、多数の矢板を打ち込んでも、継手部分の嵌め合いに因る寸法誤差が累積されて大きい不閉合を生じる虞れが無い。
【００１４】
請求項８の発明に係る筒状ケーシング打設用定規の構成は、前記請求項７の発明の構成要件に加えて、前記の筒状に配列されたＮ本の仮想の矢板について、
それぞれの矢板に接するＮ角形の内周面を有する外枠と、
それぞれの矢板に接するＮ角形の外周面を有する内枠とを具備しており、
かつ、上記内周面のＮ角形のＮ個の各辺と、外周面のＮ角形のＮ個の各辺とが相互にほぼ平行をなしていて、対向する平行な辺の間に、１本の矢板を挿通して案内する空間が形成されていることを特徴とする。
以上に説明した請求項８の発明によると、当該定規のベース部分が外枠と内枠とに分割されているので、運搬および設置の作業が容易である。
その上、外枠の内周と内枠の外周との間に「構成さるべき筒状ケーシングの水平断面形状」に対して緩やかに外嵌する空間が形成されているので、多数の矢板を順次に打設して所望の筒状を形成するに好都合である。
【００１５】
請求項９に係る発明の構成は、前記請求項８の発明の構成要件に加えて、
前記の矢板用治具に、「前記の、平行に対向する辺の間に架け渡される脚」が取り付けられていて、
上記の脚が、前記の外枠と内枠とに架橋する形に、かつ着脱容易に装着されていることを特徴とする。
以上に説明した請求項９の発明によると、矢板形治具が外枠および内枠に対して着脱容易に装着されているので、打設すべき矢板を１本ずつ供給しながら、これに対応して矢板形治具を１個ずつ取り外すことができる。このため、請求項１や請求項２の発明方法を容易に実施して、その効果を充分に発揮させることができる。
【００１６】
請求項１０に係る発明の構成は、前記請求項８または請求項９に係る発明の構成要件に加えて、前記の平行な辺が対向している箇所ごとに、打ち込まれる矢板を位置ぎめして案内するゴム板、またはゴムで被覆された板状部材が配置され、外枠または内枠に固定されていることを特徴とする。
以上に説明した請求項１０の発明によると、打設対象である矢板をゴム板によって弾性的に位置決めして案内するので、継手部分のクリアランスに因る騒音公害や振動公害を軽減させることができる。
【００１７】
請求項１１に係る筒状ケーシング打設用の把持具の構成は、前記請求項７に記載した筒状ケーシング打設用の定規と併用される矢板の把持具（杭打抜機用チャック）であって、
前記Ｎ本の矢板のそれぞれについて、矢板の重心Ｇを通り、該矢板の長手方向と平行な平面ｇを想定し、
上記矢板と平面ｇとの交線の上端付近の複数箇所を同時に把持する構造であることを特徴とする。
以上に説明した請求項１１の発明によると、矢板に対して与える打ち込み力の作用線が、該矢板の重心付近を通り、かつ、該矢板の長手方向と平行になる。
一方、矢板が地盤から受ける貫入抵抗力の作用線も、重心付近を通って長手方向と平行である。こうした現象が総合された結果、本請求項１１を適用すると、
杭に与える打込力の作用線と、杭が地盤から受ける貫入抵抗力の作用線とが一致するので、上記双方の力が偶力を生じない。その結果、打ち込まれる矢板の垂直度を保持するために有効である。
【発明の効果】
【００１８】
請求項１の発明方法によると、打ち込まれる多数の矢板が、１本置きに定規（矢板形治具）で、継手部分に生じる寸法誤差が累積されることが無く、最初に打ち込まれた矢板と最後に打ち込もうとする矢板との間に不閉合を生じない。
請求項２の発明方法によると、恒久的に打設すべき多数の矢板を、定規よりも長いガイド用仮矢板で案内するので、請求項１におけると同様の効果が得られる上に、打設された矢板の垂直度が優れている。
【００１９】
以上に説明した請求項３の発明によると、請求項２におけるが如くガイド用の仮矢板を用いる必要が無く、しかも、ガイド用仮矢板を用いた場合に匹敵し得る垂直度が得られる。
請求項４の発明方法によると、地盤が掘り弛められるので矢板を打ち込むことが容易であるだけでなく、アースオーガで掘削された区域は土砂が掻き回されて均質になっているので、その中に打ち込まれた矢板は垂直度の狂いが少ない。
【００２０】
請求項５の発明方法によると、嵌め合わされている矢板の継手部分のクリアランスが、ゴム板によって弾性的に詰められるので、杭打工事による騒音，振動公害を防止することができる。
請求項６の発明方法によると、矢板に加える打込力の作用線と、矢板が地盤から受ける貫入抵抗力の作用線とがほぼ一致し、上記二つの力によって偶力を生じないので、該矢板を真直に打ち込むことが容易になる。
上記貫入抵抗は、地盤の状態によって変化するため、予めこれを想定することは困難であるが、発明者らが蓄積した経験と知見、並びに実験研究によって、この貫入抵抗力の作用線が矢杭の重心付近を通ることを利用して、このような効果が得られたものである。
【００２１】
請求項７の発明によると、打設すべき多数の矢板の約半数の矢板形治具が、１本置きに筒状を形成するように配置されているので、これら１本置きの矢板形治具の間に１本ずつ矢板を打ち込んでゆくことによって、正確な筒状に配置されて矢板が打ち込まれて筒状ケーシングを構成する。
このように、１本置きに位置決めされるので、多数の矢板を打ち込んでも、継手部分の嵌め合いに因る寸法誤差が累積されて大きい不閉合を生じる虞れが無い。
【００２２】
請求項８の発明によると、当該定規のベース部分が外枠と内枠とに分割されているので、運搬および設置の作業が容易である。
その上、外枠の内周と内枠の外周との間に「構成さるべき筒状ケーシングの水平断面形状」に対して緩やかに外嵌する空間が形成されているので、多数の矢板を順次に打設して所望の筒状を形成するに好都合である。
請求項９の発明によると、矢板形治具が外枠および内枠に対して着脱容易に装着されているので、打設すべき矢板を１本ずつ供給しながら、これに対応して矢板形治具を１個ずつ取り外すことができる。このため、請求項１や請求項２の発明方法を容易に実施して、その効果を充分に発揮させることができる。
【００２３】
請求項１０の発明によると、打設対象である矢板をゴム板によって弾性的に位置決めして案内するので、継手部分のクリアランスに因る騒音公害や振動公害を軽減させることができる。
請求項１１の発明によると、矢板に対して与える打ち込み力の作用線が、該矢板の重心付近を通り、かつ、該矢板の長手方向と平行になる。
一方、矢板が地盤から受ける貫入抵抗力の作用線も、重心付近を通って長手方向と平行である。こうした現象が総合された結果、本請求項１１を適用すると、
杭に与える打込力の作用線と、杭が地盤から受ける貫入抵抗力の作用線とが一致するので、上記双方の力が偶力を生じない。その結果、打ち込まれる矢板の垂直度を保持するために有効である。
【発明を実施するための最良の形態】
【００２４】
図１は、本発明を適用して筒状ケーシングを構築した１実施形態を模式的に描いた工程図である。
本図１（Ｅ）は構築された筒状ケーシングを表しており、１０本の矢板１ａ〜１ｊが、相互に継手を嵌め合わせて組み立てられている。
本図１（Ａ），（Ｂ）は定規の要部を抽出して描いてある。この定規の全体的構成は図２〜図４を参照して後に詳しく述べるが、矢板形の治具３ａ〜３ｅが、地表に策定された閉曲線（本例では円Ｓ）に沿って配列されている。
これら矢板形治具の個数は、打設すべき矢板の数の半数とする。従って、筒状ケーシングの設計は、偶数本の矢板で構成されるように設定することが望ましい。しかし、何らかの事情のため奇数本の矢板を打設する場合、前記矢板形治具の設置個数は矢板の約半数とすれば良い。
半数の矢板形治具は、図１（Ａ），（Ｂ）のように１本置きに配置される。（１本置きに、という表現は必ずしも正確ではないが、次の（Ｃ）図の説明と併せて御理解願いたい）。
【００２５】
（図１（Ｃ）参照）２本の矢板形治具３ａ，３ｅの間に、継手を嵌め合わせて矢板１ｃを挿入して地中に打ち込む。本図において、矢板形治具３ｅと同３ａとの間には、既に１本目の矢板１ａが打ち込まれている。
矢板形治具３ｅ，３ａ，３ｂは、これらの間に、平面図形においては同形の矢板１ａ，１ｃが挿入され得るように、１本置きに配置されている。
図１（Ｃ）のようにして半数の矢板を打ち込むと、矢板形治具３ａ〜３ｅを取り去る。これにより、図１（Ｄ）のように半数の矢板が１本置きに打設される。
１本置きに打設されている矢板１ａと同１ｃとの間に、継手を嵌め合わせて矢板１ｂを打ち込む（矢印ｃ）。残りの矢板を順次に打ち込んで図１（Ｅ）のように仕上げる。
図１（Ｅ）に比較して見るとき、図１（Ｄ）は矢板が１本置きに配列されている。この矢板と前記矢板形治具とは平面図形が同じであることから、図１（Ａ），（Ｂ）の矢板形治具３ａ〜３ｅが１本置きに配列されている、との表現を御理解いただきたい。
なお、図１の例では、矢板を円ｓに沿わせて配列したが、本発明を実施する際、楕円、もしくは丸味を帯びた方形に沿わせて配列しても良く、要するに閉曲線に沿わせて配列すれば良い。
【００２６】
前掲の図１においては、図面を簡潔ならしめるため、定規の要部である矢板形治具３ａ〜３ｅのみを抽出して描いたが、実際にはこれら矢板形治具を位置決めして支持する構造体が必要である。
図４は定規の組立図であるが、この定規は図２に示したベース部材に対して、図３に示した「矢板形治具を有するセット治具」を装着して構成されている。以下、順次に説明する。
図２に示したベース部材は、外枠４と内枠５とから成っている。
鎖線で描いた円Ｓは、Ｎ本の矢板を打設すべく策定した閉曲線である。本例においてＮ＝１０である。
このため、外枠４には、上記の打設計画線である円Ｓに対して緩やかに外接するＮ角形（１０角形）の内周４ａが形成されている。上記の緩やかに、とは、適正なクリアランスを有している意である。
同様に、内枠５には１０角形の外周５ａが形成されている。
上記のＮ角形は、幾何学的に厳密な正Ｎ角形であることを要せず、これに類似する形状であれば良い。
前記に１０角形の内周４ａの各辺と、１０角形の外周５ａの各辺とは平行をなし、両者の間に矢板を挿通し得る空間が形成され、かつ、挿通された矢板を弾性的に位置決めするように、ゴム板４ａ，５ａが設けられている。
（注）矢板が挿通されている状態については、後に掲げる図４において図示するが、ゴム板が設置されている状態は本図２の方が分かり易い。
本実施形態においては、ゴム板としてゴム被覆鋼板を用い、平行に対向している１０角形内周４ａ、および１０角形外周５ａに貼着した。これらのゴム板にハッチングを付したのは読図を便を図ったものである。
【００２７】
図３は、前掲の図１において定規の主要構成部分として示した矢板形治具３を示す。この矢板形治具３は架橋状の脚７に取り付けられてセット治具６を構成している。上記の架橋状とは、前掲の図２で説明した外枠と内枠との間に架け渡されるとの意であり、図４を参照して後に詳しく述べる。
本例の矢板治具３は、打設される矢板と同規格の矢板を短く切断して構成した。前掲の図１に示した構造，作用から明らかなように、この矢形状治具３について必要な機能は１対の継手２である。従って、外見的に矢板と異なる形をしていても、１対の継手２を有している部材は、本発明においては矢板に類似した形状（請求項７に対応）である。
図３（Ａ）は斜視図、（Ｂ）は平面図であって、架橋状の脚７には取付ボルト孔７ａが設けられている。そのｃ−ｃ断面矢視図を（Ｃ）に、矢印ｄ方向外観図を（Ｄ）に、それぞれ示す。符号７ｂは補強リブである。
【００２８】
図４は定規の組立図であって、（Ａ）は平面図、（Ｂ）は側面図である。
図４（Ａ）と前掲の図１（Ａ）とを対照すると、５個の矢板形治具３ａ〜３ｅが１本置きに配列されていることは同様である。
図４（Ａ）に描かれている５個の矢板形治具それぞれの近傍は、前掲の図３（Ｂ）に示した平面図と同様（ただし、縮尺は約１／２）である。図面を簡素にするため、図４（Ａ）においては、５個の矢板形治具の内の１個の矢板形治具３ｄに取り付けられている架橋状の脚７の符号と名称とを付記し、他の４個の矢板形治具には符号７の数字のみを記入してある。
上記の矢板形治具と架橋状の脚とは熔接されて一体に連設されている。しかし、一体に熔接されて成るセット治具６（図３参照）は、外枠４に対しても内枠５に対しても、着脱自在なようにボルト・ナットで取り付けてある。
このようにして、５個の矢板形治具３ａ〜３ｅのそれぞれが、１個ずつ着脱自在であることは、前掲の図１に示した工程図において（Ｃ）の工程から（Ｄ）の工程に進む作業を容易ならしめる。なお、本発明方法において「定規を取り去る」というとき必ずしも定規全体を取り去らなくても、矢板形治具のみを取り去っても良いものとする。
本図は「矢板形治具を主要構成部材である定規」を実線で描いてある。なお、この定規によって位置決めされた矢板１ａ，１ｃ，１ｅ，１ｇ，１ｉを仮想線で示した。
【００２９】
図５は、前掲の図１と異なる実施形態を説明するための工程図である。図１に比して縮尺が小さいので、矢板の継手の図示を簡略化し、破線で表してある。
図５（Ａ），（Ｂ）は、前掲の図１におけると同様に、矢板形治具の配列を描いてある。（Ｆ）は１０本の矢板１で構築された筒状のケーシングである。
上述のように１枚置きに配列された５個の矢板形治具の間に挿し込んだ矢板を地中に打ち込むことは、前掲の図１の実施形態に類似しているが、図５の実施形態においては（Ｃ）に示したように、恒久的に打設する矢板１に比して格段に短いガイド用の仮矢板を打ち込む。
本例において恒久矢板１の長さは６ｍ、ガイド用仮矢板の長さは１．５ｍである。従って、本例におけるガイド仮矢板の長さは恒久矢板１の１／４である。本発明を実施する際、ガイド仮矢板の長さは恒久矢板の数分の１程度にすることが望ましい。
前記の恒久矢板とは、構築目的物である筒状ケーシングを形成する矢板の意であって、該筒状ケーシングが後日解体されるか否かは問わない。
【００３０】
（図５（Ｃ）参照）矢板形治具３ｂと同３ｃとの間にガイド仮矢板８ｂを、矢印ｂのように打ち込む。符号８ａは既に打ち込まれたガイド矢板である。
このようにして１本置きに５本のガイド用仮矢板を打ち込んだならば（図示を省略するが）５個の矢板形治具を１個ずつ取り外して、その後に１本ずつガイド矢板を打ち込む。
これにより、（Ｄ）図に示したような１０本のガイド仮矢板から成る仮ケーシングが形成される。
（Ｅ）図に示すように、１本のガイド仮矢板８を抜き取り（矢印ｅ）、その後に恒久矢板１を打ち込む（矢印ｆ）。このようにして、順次にガイド用仮矢板を恒久矢板に置換してゆくと、（Ｆ）図のような筒状ケーシングが構築される。鎖線ＧＬは概要的に地表面を表している。
【００３１】
（Ｃ）図のようにしてガイド仮矢板を打ち込む際は、該ガイド仮矢板が比較的短いので、それぞれのガイド仮矢板の垂直度狂いが小さい。このため、先に図１０を参照して説明した「矢板下端部における不閉合」を生じる虞れが無い。
（注）矢板の傾きに因る下端部不閉合を考えても、矢板の撓みによる下端部不閉合を考えても、ガイド仮矢板のように短かければ「継手間隔の狂い」が小さく、打設途中の沈下停止を生じるに至らない。
（Ｅ）図のように恒久矢板１を打ち込む際、該恒久矢板１は「矢板形治具３よりは明確に長いガイド仮矢板８」で案内されるので、垂直度の狂いが少なく、従って、恒久矢板１の下端部の不閉合を生じる虞れが無い。
【００３２】
以上に説明した図５の実施形態においては、その（Ｄ）図に示したように「ガイド矢板から成る仮ケーシング」を構成する工程を設けることによって、恒久矢板の垂直度を確保した。
図６は、前記のガイド用仮矢板を用いないで同様の効果が得られるように工夫した応用例である。
本図６（Ａ）において、地上に「矢板形治具からなる定規」を設置して、１本置きに恒久矢板を打ち込んでゆくことは、前掲の図１の実施形態におけると同様である。
鎖線で描いた恒久矢板１ａは既設の矢板、斑点を付して示した恒久矢板１ｅはこれから打ち込もうとしている矢板である。
既設の矢板１ａは、その全長を∠として、∠／ｎだけ地中に打ち込まれている。ただし、ｎは２以上の任意の数であって、必ずしも整数に限らない。
このようにして５本の恒久矢板を１本置きに打ち込んだら矢板形治具を取り去り、矢板形治具を取り去った後に恒久矢板を打ち込んで、本図６（Ｂ）のように「１０本の恒久矢板それぞれの下端部から成る、長さ寸法∠／ｎの仮筒状ケーシング１２」を構成する。
上記仮筒状ケーシングを構成している１０本の恒久矢板の内の１本の恒久矢板１ｈを、矢印ｇのように更に打ち込み、（Ｃ）図のような筒状ケーシングを完成する。
【００３３】
以上に図１，図５および図６を参照して説明した実施形態は、総べて「不閉合の防止」を目的としている。
地表付近における不閉合防止は、図１のように定規（矢板形治具）を用いることによって完全に防止されるが、地表からの深さ∠の地中で発生する不閉合（図１０を参照して先に述べた）を防止することは容易でない。
そこで、図５，図６の実施形態では、中間工程において仮ケーシングを構成して矢板の垂直度を確保し、矢板の下端部付近で不整合を生じないようにした。
次に、矢板の垂直度を確保するために有効な補助的手段二つを説明する。
【００３４】
図１，図５，図６の各実施形態において、地上に定規を設置するに先立って、矢板を打ち込む予定の箇所にアースオーガを立てて揉み込む。そして、なるべく排土しないように、矢板打設予定区域の地盤を掘り弛めて該アースオーガを引き抜き、地表を均す。
このようにすると、矢板が貫入する予定空間内の土砂が掘り弛められて、該矢板の貫入が容易になる上に、
地質に不均一が有っても撹拌されて均一に近くなるので、打ち込まれる矢板の垂直度が狂ったり、該矢板の直線性を撓まされたりする虞れが無くなる。
このようにして、打ち込まれた矢板の姿勢狂いに困る、下端部付近の不閉合が防止される。
【００３５】
図７は、打ち込まれる矢板の垂直度を確保するための補助的手段のもう一つを説明するための図である。
説明の便宜上、本図７の（Ａ），（Ｂ）は、従来技術において矢板の垂直度を狂わせた原因を示し、本図７の（Ｃ）は上記の原因を解消するための構造を表す。ただし、構成や作用の理解を容易ならしめるように、特徴を誇張して描いてあり、写実的な投影図ではない。
本図７（Ａ）は、前掲の図８（Ａ）に示した「円筒状ケーシング」を形成するための、「円筒を縦割りにした形状をなす割円筒矢板９を、従来例のチャック１０で把持した状態の模式的な平面図であり、本図７（Ｂ）は模式的な垂直断面図である。
上記のチャック１０は杭打機（図外）に装着されていて、割円筒状矢板９を把持して、矢印Ｐのように圧入力を加える。
【００３６】
割円筒状矢板９が地盤内に圧入されると、該割円筒状矢板９は地盤が貫入抵抗力Ｒを受ける。
この貫入抵抗力は単純ではない。概要的には「矢板の底面に掛かる、土砂を排除するに要する力」と、「杭の側面に掛かる摩擦力」との合力である。
この貫入抵抗力Ｒの作用線は、近似的に、矢板の重心Ｇを通る。
その結果、本図７（Ｂ）に表されているように、圧入力Ｐの作用線と抵抗力Ｒの作用線とが一致せず、偶力を生じて矢板の垂直度を狂わせたり、該矢板を撓ませたりする。
そこで本実施形態のチャック１１は、矢板の広い範囲を把持するように構成する。
すなわち、（Ｃ）図のように、「重心Ｇを通り、矢板の長手方向に平行な面ｇ−ｇを想定し、この面ｇ−ｇが割円筒状矢板９と交わる２箇所、Ｗ１と同Ｗ２とで該割円筒状矢板９を把持する。
このため、（Ａ）図に示した従来例のように、割円筒状矢板９の中央部の１箇所Ｖを把持する場合のように、圧入力と抵抗力との作用線不一致に因る偶力を生じないので、矢板の垂直度や直線性を確保するために有効である。
本発明に係る矢板打設用の把持具（チャック１１）は筒状ケーシング打設における不閉合防止を目的として創作したものであるが、矢板を打設する際に該矢板が傾いたり撓んだりすることを防止するため、ケーシング打設工事以外においても有効である。
従って、筒状ケーシングを打設する場合意外であっても、矢板を真直に打ち込むために有効であるような形態で、本発明に係る把持具を実施することは、本発明の技術的範囲に属するものである。
【図面の簡単な説明】
【００３７】
【図１】本発明に係る筒状ケーシング打設工法の１実施形態における工程図である。
【図２】本発明に係る筒状ケーシング打設用定規の１実施形態を示し、セット治具を取り外した状態の２面図である。
【図３】前掲の図２において取り外されたセット治具の単品図である。
【図４】前掲の図２および図３に示した実施形態の組立状態を描いた２面図である。
【図５】前掲の図１と異なる実施形態の工程図である。
【図６】前掲の図１，図５と異なる実施形態の工程図である。
【図７】本発明に係る把持具を説明するために示したもので、（Ａ）は比較のために描いた従来例の平面図、（Ｂ）は上記従来例の垂直断面図、（Ｃ）は本発明の模式的な平面図である。
【図８】筒状ケーシングの一般的な構成を説明するための平面図である。
【図９】筒状ケーシングの打設する場合の不具合を描いた模式的な平面図である。
【図１０】矢板を打設する場合に、該矢板が傾いたり撓んだりする状態を描いた模式的な斜視図である。
【符号の説明】
【００３８】
１・・・恒久的に打設される矢板、１ａ〜１ｊ・・・矢板、２・・・継手、３，３ａ〜３ｅ・・・矢板形治具、４・・・定規を構成する外枠、４ａ・・・１０角形の内周、４ｂ・・・内周ゴム板、４ｃ・・・取付ボルト孔、５・・・定規を構成する内枠、５ａ・・・１０角形の外周、５ｂ・・・外周ゴム板、５ｃ・・・取付ボルト孔、６・・・セット治具、７・・・架橋状の脚、７ａ・・・取付ボルト孔、７ｂ・・・補強リブ、８ａ〜８ｅ・・・ガイド用の仮矢板、９・・・円筒を縦割りした形状の矢板、１０・・・チャック、１１・・・広域把持形チャック（把持具）。
【図１】
2005171596.tif 000003
【図２】
2005171596.tif 000004
【図３】
2005171596.tif 000005
【図４】
2005171596.tif 000006
【図５】
2005171596.tif 000007
【図６】
2005171596.tif 000008
【図７】
2005171596.tif 000009
【図８】
2005171596.tif 000010
【図９】
2005171596.tif 000011
【図１０】
2005171596.tif 000012